(57)【要約】  本発明は、情報を関連付ける方法および端末を開示し、コンピュータ技術の分野に関する。この方法は、画像情報を取得し、画像情報から顔の特徴情報を抽出し、画像情報における顔の特徴情報に対応する顔の特徴情報が連絡先情報の中に存在するかどうかを判定し、対応する顔の特徴情報が合致したならば、画像情報を合致した連絡先情報と関連付けることを含む。本発明において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって、画像情報と連絡先情報の間の自動的な関連付けが実現され、これはユーザの設定時間を節約し、ユーザ体験を向上させる。
2015513162.tif 000002
【特許請求の範囲】
【請求項１】
情報を関連付ける方法であって、
画像情報を取得するステップと、
前記画像情報から顔の特徴情報を抽出するステップと、
前記画像情報における前記顔の特徴情報に対応する顔の特徴情報が連絡先情報の中に存在するかどうかを判定し、前記対応する顔の特徴情報が合致したならば、前記画像情報を合致した連絡先情報と関連付けるステップと、
を有する方法。
【請求項２】
前記画像情報を取得するステップは特に、
ローカルに記憶された画像情報を取得するステップ、または、
撮像デバイスによって入力された画像情報を取得するステップ、
を有する請求項１に記載の方法。
【請求項３】
前記画像情報における前記顔の特徴情報に対応する顔の特徴情報が連絡先情報の中に存在するかどうかを判定し、前記対応する顔の特徴情報が合致したならば、前記画像情報を前記合致した連絡先情報と関連付けるステップは特に、
前記抽出された顔の特徴情報を、顔の特徴情報と連絡先情報の間のローカルに記憶された対応関係における顔の特徴情報と照合するステップと、
合致に成功したならば、前記抽出された顔の特徴情報に対応する画像情報を、合致した顔の特徴情報と連絡先情報の間のローカルに記憶された対応関係における連絡先情報と関連付けるステップと、
を有する請求項１に記載の方法。
【請求項４】
前記画像情報における特徴情報に対応する連絡先情報が存在するかどうかを判定し、前記対応する連絡先情報が存在するならば、前記画像情報を前記対応する連絡先情報と関連付けるステップは特に、
前記抽出された顔の特徴情報をサーバに送信して、前記サーバに、前記抽出された顔の特徴情報を、顔の特徴情報と連絡先情報の間の前記サーバに記憶された対応関係における顔の特徴情報と照合させるステップと、
合致に成功したならば、合致した顔の特徴情報と連絡先情報の間の対応関係における連絡先情報を前記サーバから受信し、前記抽出された顔の特徴情報に対応する画像情報を、合致した顔の特徴情報と連絡先情報の間の前記サーバに記憶された対応関係における連絡先情報と関連付けるステップと、
を有する請求項１に記載の方法。
【請求項５】
前記画像情報における特徴情報に対応する連絡先情報が存在するかどうかを判定し、前記対応する連絡先情報が存在するならば、前記画像情報を前記対応する連絡先情報と関連付けた後に、
連絡先情報を問い合わせる命令がユーザから受信されたとき、前記連絡先情報と関連付けされた画像情報を表示するステップ、または、
画像情報を問い合わせる命令がユーザから受信されたとき、前記画像情報と関連付けされた連絡先情報を表示するステップ、
をさらに有する請求項１から４のいずれか一項に記載の方法。
【請求項６】
連絡先情報を問い合わせる命令がユーザから受信されたとき、前記連絡先情報と関連付けされた画像情報を表示するステップは特に、
連絡先情報を問い合わせる命令がユーザから受信されたとき、前記連絡先情報と関連付けされた画像情報の表示規則を取得するステップと、
前記表示規則に従って連絡先の画像情報を表示するステップと、を有し、前記表示規則は、前記連絡先情報と関連付けされた画像情報の中で現在の時刻に最も近い撮影時刻を有する画像情報を表示すること、前記連絡先情報と関連付けされた画像情報の中でユーザによって指定された画像情報を表示すること、前記連絡先と関連付けされた画像情報をランダムに表示すること、のうちの少なくとも１つを含む請求項５に記載の方法。
【請求項７】
情報を関連付ける端末であって、
画像情報を取得するように構成された取得モジュールと、
前記画像情報から顔の特徴情報を抽出するように構成された抽出モジュールと、
前記画像情報における前記顔の特徴情報に対応する顔の特徴情報が連絡先情報の中に存在するかどうかを判定し、前記対応する顔の特徴情報が合致したならば、前記画像情報を合致した連絡先情報と関連付けるように構成された関連付けモジュールと、
を備える端末。
【請求項８】
前記取得モジュールは特に、
ローカルに記憶された画像情報を取得するように構成された第１の取得ユニット、または、
撮像デバイスによって入力された画像情報を取得するように構成された第２の取得ユニット、
を備える請求項７に記載の端末。
【請求項９】
前記関連付けモジュールは特に、
前記抽出された顔の特徴情報を、顔の特徴情報と連絡先情報の間の前記端末に記憶された対応関係における顔の特徴情報と照合するように構成された第１の照合ユニットと、
合致に成功したならば、前記抽出された顔の特徴情報に対応する画像情報を、合致した顔の特徴情報と連絡先情報の間の前記端末に記憶された対応関係における連絡先情報と関連付けるように構成された第１の関連付けユニットと、
を備える請求項７に記載の端末。
【請求項１０】
前記関連付けモジュールは特に、
前記抽出された顔の特徴情報をサーバに送信して、前記サーバに、前記抽出された顔の特徴情報を、顔の特徴情報と連絡先情報の間の前記サーバに記憶された対応関係における顔の特徴情報と照合させるように構成された第２の照合ユニットと、
合致に成功したならば、合致した顔の特徴情報と連絡先情報の間の対応関係における連絡先情報を前記サーバから受信し、前記抽出された顔の特徴情報に対応する画像情報を、合致した顔の特徴情報と連絡先情報の間の前記サーバに記憶された対応関係における連絡先情報と関連付けるように構成された第２の関連付けユニットと、
を備える請求項７に記載の端末。
【請求項１１】
連絡先情報を問い合わせる命令がユーザから受信されたとき、前記連絡先情報と関連付けされた画像情報を表示するように構成された第１の表示モジュール、または、
画像情報を問い合わせる命令がユーザから受信されたとき、前記画像情報と関連付けされた連絡先情報を表示するように構成された第２の表示モジュール、
をさらに備える請求項７から１０のいずれか一項に記載の端末。
【請求項１２】
前記第１の取得モジュールは特に、
連絡先情報を問い合わせる命令がユーザから受信されたとき、前記連絡先情報と関連付けされた画像情報の表示規則を取得するように構成された第３の取得ユニットと、
前記表示規則に従って連絡先の画像情報を表示するように構成された表示ユニットと、を備え、前記表示規則は、前記連絡先情報と関連付けされた画像情報の中で現在の時刻に最も近い撮影時刻を有する画像情報を表示すること、前記連絡先情報と関連付けされた画像情報の中でユーザによって指定された画像情報を表示すること、前記連絡先と関連付けされた画像情報をランダムに表示すること、のうちの少なくとも１つを含む請求項１１に記載の端末。
【発明の詳細な説明】
【技術分野】
【０００１】
本発明は、コンピュータ技術の分野に関し、特に、情報を関連付ける方法および端末に関する。
【０００２】
本願は、２０１２年６月２９日に中国特許庁に出願された、発明の名称を“METHOD AND TERMINAL FOR ASSOCIATING INFORMATION”とする中国特許出願第201210222418.8号の優先権を主張し、その全体が参照によりここに組み込まれる。
【背景技術】
【０００３】
コンピュータ技術の発展とともに、人々の生活にインテリジェント端末が必需品となった。日々の生活において端末でアルバムおよびアドレス帳が最も広く使われるようになった。
【０００４】
先行技術において、顔認識技術を使用してインテリジェント端末のアルバムから写真における顔の特徴情報が得られ、得られた顔の特徴情報は既知の顔の特徴情報と比較され、それによって、写真における人物像の同一性を認識し、人物像の同一性に従って写真を分類し、それによって、ユーザは自動的に分類されたアルバムを閲覧できる。一方、インテリジェント端末のアドレス帳において、画像情報を連絡先情報に手動で追加することによって対応する画像情報が連絡先情報に表示され、それによって、画像情報を連絡先情報と関連付けることができる。
【０００５】
本発明の実現の間、先行技術は少なくとも次の欠点を有することに発明者は気付いた。
【０００６】
ユーザは、アルバムを閲覧するとき、分類されたアルバムにおける人物像に対応する連絡先情報について知ることができず、ユーザは問い合わせのためにアドレス帳を起動しなければならず、これはユーザ体験を低下させる。ユーザが連絡先に対応する画像情報をアドレス帳に設定するとき、設定手順は冗長であり、ただ１つの対応する画像が設定でき、設定の後に変更が必要ならば、設定動作が繰り返されなければならない。アドレス帳に多くの連絡先が存在するとき、多くの時間が消費され、ユーザ体験は低下する。
【発明の概要】
【課題を解決するための手段】
【０００７】
本発明の実施例は、情報を関連付ける方法および端末を提供し、それによって、連絡先および画像情報を端末において自動的に関連付けることができないという先行技術における課題を解決する。技術的解決手段は次の通りである。
【０００８】
１つの態様によれば、情報を関連付ける方法が提供され、この方法は、
画像情報を取得するステップと、
画像情報から顔の特徴情報を抽出するステップと、
画像情報における顔の特徴情報に対応する顔の特徴情報が連絡先情報の中に存在するかどうかを判定し、対応する顔の特徴情報が合致したならば、画像情報を合致した連絡先情報と関連付けるステップと、を含む。
【０００９】
もう１つの態様によれば、情報を関連付ける端末が提供され、この装置は、
画像情報を取得するように構成された取得モジュールと、
画像情報から顔の特徴情報を抽出するように構成された抽出モジュールと、
画像情報における顔の特徴情報に対応する顔の特徴情報が連絡先情報の中に存在するかどうかを判定し、対応する顔の特徴情報が合致したならば、画像情報を合致した連絡先情報と関連付けるように構成された関連付けモジュールと、を含む。
【００１０】
本発明の実施例によって提供される技術的解決手段は次の利点をもたらす。
【００１１】
予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって画像と連絡先情報の間の自動的な関連付けが実現され、これはユーザの設定時間を節約し、ユーザ体験を向上させる。
【００１２】
本発明の実施例における技術的解決手段をより明確に説明するために、下記は実施例を説明するために必要な添付図面を簡単に説明する。明らかに、続く説明において添付図面は本発明のいくつかの実施例を表わすに過ぎず、この分野の当業者は創作的な努力なしでこれらの添付図面に従ってさらに他の図面を導き出すことができる。
【図面の簡単な説明】
【００１３】
【図１】本発明の実施例１による情報を関連付ける方法のフローチャートの図である。
【図２】本発明の実施例２による情報を関連付ける方法のフローチャートの図である。
【図３】本発明の実施例３による情報を関連付ける方法のフローチャートの図である。
【図４】本発明の実施例４による情報の関連付けの後の方法のフローチャートの図である。
【図５】本発明の実施例５による情報を関連付ける端末の構成図を表わす。
【図６】本発明の実施例６による情報を関連付ける端末の実施例のブロック図である。
【発明を実施するための形態】
【００１４】
本発明の目的、解決手段、および利点をより理解できるようにするため、下記はさらに添付図面を参照して詳細に本発明の実施例を説明する。
【実施例１】
【００１５】
図１を参照すると、本発明の実施例１は情報を関連付ける方法を提供する。この方法は次を含む。
１０１：画像情報を取得する。
１０２：画像情報から顔の特徴情報を抽出する。
１０３：画像情報における顔の特徴情報に対応する顔の特徴情報が連絡先情報の中に存在するかどうかを判定し、対応する顔の特徴情報が合致したならば、画像情報を合致した連絡先情報と関連付ける。
【００１６】
本発明の実施例において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって画像と連絡先の間の自動的な関連付けが実現され、これはユーザの設定時間を節約し、ユーザ体験を向上させる。
【実施例２】
【００１７】
図２を参照すると、本発明の実施例２は情報を関連付ける方法を提供し、これは実施例１の詳細な説明である。
【００１８】
本発明の実施例において、画像情報に対応する顔の特徴情報、および、顔の特徴情報と連絡先情報の間の端末に記憶された対応関係に従って、画像情報について同一性認識が行われ、画像情報は対応する連絡先情報と関連付けられて画像情報を連絡先情報と関連付ける目的を達成し、それによって、ユーザがアドレス帳の連絡先に対応する画像情報を見るとき、連絡先情報と関連付けられた複数の画像情報のうちの少なくとも１つが表示規則に従って表示され、閲覧された人物像の画像に対応する連絡先情報を即座にアルバムから取得することができることに留意すべきである。
【００１９】
詳細なステップは次の通りである。
【００２０】
２０１：端末は画像情報を取得する。
【００２１】
具体的には、端末は、ローカルに記憶された画像情報を取得し、これはアルバム内の画像とすることができる。さらに、端末は、撮像デバイスによって入力された画像情報も取得することができ、撮像デバイスは端末内に組み込まれたカメラで撮った写真とすることができる。
【００２２】
２０２：画像情報から顔の特徴情報を抽出する。
【００２３】
具体的には、顔認識技術を使用して、取得された画像情報における人物の顔の特徴情報を抽出する詳細な方法は、まず、画像情報の中に顔が存在するかどうか判定し、顔が存在するならば、さらに、各々の顔の位置と大きさ、および、主要な顔の器官の位置情報を取得し、そのような情報に従って、さらに、各々の顔に含まれる特徴情報を抽出することである。
【００２４】
詳細な実現方法において、顔の特徴情報から、同じ顔の特徴情報を有する画像情報が同じ人物に属すことを知ることができ、顔認識を使用して、異なる人物の顔の特徴情報に従って画像情報が分類される。ある人物の画像情報は、人物の名前に従って、分類されたアルバム内で閲覧することができる。
【００２５】
２０３：画像情報における顔の特徴情報に対応する顔の特徴情報が連絡先情報の中に存在するかどうかを判定し、対応する顔の特徴情報が合致したならば、画像情報を合致した連絡先情報と関連付ける。
【００２６】
本発明の実施例において、ステップ２０３は具体的には次の通りとすることができる。
【００２７】
２０３１：抽出された顔の特徴情報を、顔の特徴情報と連絡先情報の間のローカルに記憶された対応関係における顔の特徴情報と照合する。
【００２８】
２０３２：合致に成功したならば、抽出された顔の特徴情報に対応する画像情報を、合致した顔の特徴情報と連絡先情報の間のローカルに記憶された対応関係における連絡先情報と関連付ける。
【００２９】
具体的には、既知の画像情報における顔の特徴情報と連絡先情報の間の対応関係が、端末内にローカルに記憶される。抽出された顔の特徴情報は、顔の特徴情報と連絡先情報の間のローカルに記憶された対応関係における顔の特徴情報と照合され、合致に成功したならば、合致した顔の特徴情報と連絡先情報の間のローカルに記憶された対応関係における連絡先情報が、抽出された顔の特徴情報に対応する画像情報と関連付けされる。
【００３０】
詳細な実現方法において、連絡先情報は、アドレス帳における連絡先情報とすることができ、合致した画像情報が連絡先情報と関連付けされるならば、アドレス帳におけるある連絡先の情報は、分類されたアルバムにおける対応する連絡先の画像と関連付けることができる。
【００３１】
さらに、連絡先情報は、具体的には、名前、電話番号、電子メールアドレス、インスタント通信ソフトウェアのアカウント、連絡先のマイクロブログのアカウントとすることができる。本発明は、連絡先情報への限定を設けるものではない。
【００３２】
本発明の実施例において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって、画像と連絡先の間の自動的な関連付けが実現され、これはユーザの設定時間を節約し、ユーザ体験を向上させる。
【実施例３】
【００３３】
図３を参照すると、本発明の実施例３は、情報を関連付ける方法を提供し、この方法は実施例１に基づく改良であり、下記を含む。
【００３４】
本発明の実施例において、クラウドコンピュータ技術を使用してサーバ側で、取得された画像情報についての同一性認識が実行され、認識の後、画像情報が端末内のローカルな対応する連絡先情報と関連付けされ、連絡先についての動的な追跡がネットワークを使用して実現されることに留意すべきである。
【００３５】
さらに、本発明の実施例は、端末が特徴情報と連絡先情報の間の対応関係を記憶しない場合にも適用でき、連絡先情報はネットワークを使用して取得される必要がある。
【００３６】
好ましくは、実施例２と実施例３の場合を組み合わせて、画像情報の特徴情報をネットワークを使用してローカルに照合することができ、それによって、連絡先に対応するより多くの連絡先情報を取得することができる。
【００３７】
３０１：端末は画像情報を取得する。
【００３８】
具体的には、端末は、ローカルに記憶された画像情報を取得し、これはアルバム内の画像とすることができる。さらに、端末は、撮像デバイスによって入力された画像情報を取得することができ、撮像デバイスは端末内に組み込まれたカメラによって撮られた写真とすることができる。
【００３９】
３０２：画像情報から顔の特徴情報を抽出する。
【００４０】
具体的には、顔認識技術を使用して、取得された画像から顔の特徴情報を抽出する詳細な方法は、まず、画像の中に顔が存在するかどうか判定し、顔が存在するならば、さらに、各々の顔の位置と大きさ、および、主要な顔の器官の位置情報を取得し、そのような情報に従って、さらに、各々の顔に含まれる特徴情報を抽出することである。
【００４１】
詳細な実現方法において、顔の特徴情報から、同じ顔の特徴情報を有する画像情報が同じ人物に属すことを知ることができ、顔認識を使用して、異なる人物の顔の特徴情報に従って画像情報が分類される。ある人物像に特有の画像情報は、人物の名前に従って、分類されたアルバム内で閲覧することができる。
【００４２】
例えば、ユーザが端末を使用して、端末内に組み込まれたカメラを使用して写真を撮り、端末を使用して写真における人物像の特徴情報を取得する。例えば、写真における人物像は「Yao Ming」の公にされた人物像であるとして、端末はネットワークを使用して特徴情報をサーバに送信し、サーバは顔認識技術を使用して写真における人物像が「Yao Ming」であると判定する。
【００４３】
３０３：抽出された顔の特徴情報をサーバに送信して、サーバに、画像情報における特徴情報に対応する連絡先情報が存在するかどうかを判定させ、対応する連絡先情報が存在するならば、画像情報を対応する連絡先情報と関連付けさせる。
【００４４】
本発明の実施例において、ステップ３０３は具体的には次の通りとすることができる。
【００４５】
３０３１：端末は抽出された顔の特徴情報をサーバに送信して、サーバに、抽出された顔の特徴情報を、顔の特徴情報と連絡先情報の間のサーバに記憶された対応関係における顔の特徴情報と照合させる。
【００４６】
３０３２：合致に成功したならば、合致した顔の特徴情報と連絡先情報の間の対応関係における連絡先情報をサーバから受信し、抽出された顔の特徴情報に対応する画像情報を、合致した顔の特徴情報と連絡先情報の間のサーバに記憶された対応関係における連絡先情報と関連付ける。
【００４７】
本発明の実施例において、既知の画像情報における特徴情報と連絡先情報の間の対応関係は、端末に記憶されず、その代りに、対応関係はサーバに記憶される。例えば、ステップ３０２の例で続けると、サーバによって合致した「Yao Ming」の連絡先情報が端末に返信され、ここで、連絡先情報は、人物像のニュース情報、マイクロブログにおける更新されたコンテンツ等とすることができる。
【００４８】
本発明の実施例において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって、画像と連絡先の間の自動的な関連付けが実現され、これはユーザの設定時間を節約し、ユーザ体験を向上させる。
【実施例４】
【００４９】
図４を参照すると、本発明の実施例は情報を関連付ける方法を提供する。本発明の実施例は、実施例２および実施例３において連絡先情報と画像情報が関連付けされた後に、端末を使用してユーザが実行できる動作を説明することに留意すべきである。
【００５０】
この方法は次を含む。
【００５１】
４０１：連絡先情報を見る命令がユーザから受信されたとき、連絡先情報と関連付けされた複数の画像情報のうちの少なくとも１つを表示する。
【００５２】
アドレス帳においてユーザが連絡先情報を検索するとき、ユーザは、前述の対応関係を使用してある連絡先に対応する画像情報を取得でき、ここで、画像情報はユーザによって設定されたように、連絡先の最新の画像を表示することができ、ユーザによって予め設定されたように、連絡先のある画像を表示することもでき、最新の画像のみに限定されない。従って、好ましくは、連絡先情報と関連付けされた画像情報が表示される前に、連絡先情報に対応する画像情報の表示規則をさらに取得することができ、連絡先情報に対応する画像情報を表示規則に従って表示することができる。
【００５３】
従って、ステップ４０１は具体的には次の通りとすることができる。
【００５４】
４０１１：連絡先情報を見る命令がユーザから受信されたとき、連絡先情報と関連付けされた画像情報の表示規則を取得する。
【００５５】
表示規則は、連絡先情報と関連付けされた画像情報の中で現在の時刻に最も近い撮影時刻を有する画像情報を表示する方法、または、連絡先情報と関連付けされた画像情報の中でユーザによって指定された画像情報を表示する方法、および、連絡先と関連付けされた画像情報をランダムに表示する方法とすることができ、さらに、本発明の実施例に限定されない他の関連する表示設定とすることができる。
【００５６】
４０１２：表示規則に従って連絡先の画像情報を表示し、ここで表示規則は次のうちの少なくとも１つを含む。連絡先情報と関連付けされた画像情報の中で現在の時刻に最も近い撮影時刻を有する画像情報を表示すること、連絡先情報と関連付けされた画像情報の中でユーザによって指定された画像情報を表示すること、および、連絡先と関連付けされた画像情報をランダムに表示すること。
【００５７】
４０２：画像情報と関連付けされた連絡先情報を見る命令がユーザから受信されたとき、画像情報と関連付けされた連絡先情報を表示する。
【００５８】
ユーザがアルバム内の画像情報を見るとき、ユーザは、任意の画像をタップする（軽くたたく）またはタップしたまま押さえることによって、画像に対応する連絡先情報を見ることができ、さらに、電話をかける、電子メールを送る、連絡先のマイクロブログを開く等の対応する機能を選択することができる。
【００５９】
次の例は、実施例２において連絡先情報および画像情報が関連付けされた後に行われるユーザ操作を簡単に説明する。
【００６０】
例えば、「Zhang San」のサブアルバムにおいて、ユーザはアドレス帳における「Zhang San」の人物像の連絡先情報を直接に閲覧することができ、ここで、連絡先情報は、電話番号、電子メールアドレス、マイクロブログアドレス等とすることができる。ユーザは、アルバム内に表示された「Zhang San」の人物像の連絡先情報を使用して直接に「Zhang San」に連絡をとることができる。連絡の方法は、具体的には、次の通りとすることができる。ユーザが端末のアドレス帳を使用して連絡先情報を問い合わせる、例えば「Zhang San」の連絡先情報を問い合わる。ここで、連絡先情報は電話番号、電子メールアドレス、マイクロブログアドレス等とすることができる。ユーザが「Zhang San」の名前をタップした後に、名前に対応する詳細な情報を表示するための画面が表示される。この場合、ユーザは、本発明の実施例において説明した、画像情報を連絡先情報と関連付けする方法を使用して、「Zhang San」の詳細な連絡先情報の中で、端末のアルバムに記憶された「Zhang San」のサブアルバム内の人物像の写真を見つけることができる。
【００６１】
次の例は、実施例３において連絡先情報および画像情報が関連付けされた後に行われるユーザ操作を簡単に説明する。
【００６２】
例えば、ステップ３０３の例で続けると、「Yao Ming」のサブアルバムを見るとき、ユーザは人物像の連絡先情報を見て直接に閲覧することができ、ネットワークに接続されるとき情報をリアルタイムで更新することができる。ユーザが端末のアドレス帳を使用して連絡先情報を問い合わせるとき、ユーザは「Yao Ming」の連絡先の画像情報を直接に取得することができる。
【００６３】
本発明の実施例において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって、画像と連絡先の間の自動的な関連付けが実現され、これはユーザの設定時間を節約し、ユーザ体験を向上させる。
【実施例５】
【００６４】
図５を参照すると、本発明の実施例は情報を関連付ける端末を提供し、この端末は、
画像情報を取得するように構成された取得モジュール５０１、
画像情報から顔の特徴情報を抽出するように構成された抽出モジュール５０２、および、
画像情報における顔の特徴情報に対応する顔の特徴情報が連絡先情報の中に存在するかどうかを判定し、対応する顔の特徴情報が合致したならば、画像情報を合致した連絡先情報と関連付けるように構成された関連付けモジュールを含む。
【００６５】
詳細な実現方法において、取得モジュール５０１は特に、
ローカルに記憶された画像情報を取得するように構成された第１の取得ユニット５０１１、または、
撮像デバイスによって入力された画像情報を取得するように構成された第２の取得ユニット５０１２を含む。
【００６６】
関連付けモジュールが照合をローカルに実行するとき、関連付けモジュール５０３は特に、
抽出された顔の特徴情報を、顔の特徴情報と連絡先情報の間の端末に記憶された対応関係における顔の特徴情報と照合するように構成された第１の照合ユニット５０３１、および、
合致に成功したならば、抽出された顔の特徴情報に対応する画像情報を、合致した顔の特徴情報と連絡先情報の間のローカルに記憶された対応関係における連絡先情報と関連付けるように構成された第１の関連付けユニット５０３２を含む。
【００６７】
関連付けモジュールがサーバにおいて照合を行うとき、関連付けモジュール５０３は特に、
抽出された顔の特徴情報をサーバに送信して、サーバに、抽出された顔の特徴情報を、顔の特徴情報と連絡先情報の間のサーバに記憶された対応関係における顔の特徴情報と照合させるように構成された第２の照合ユニット５０３３、および、
合致に成功したならば、合致した顔の特徴情報と連絡先情報の間の対応関係における連絡先情報をサーバから受信し、抽出された顔の特徴情報に対応する画像情報を、合致した顔の特徴情報と連絡先情報の間のサーバに記憶された対応関係における連絡先情報と関連付けるように構成された第２の関連付けユニット５０３４を含む。
【００６８】
端末は、さらに、
連絡先情報を問い合わせる命令がユーザから受信されたとき、連絡先情報と関連付けされた画像情報を表示するように構成された第１の表示モジュール５０４、または、
画像情報を問い合わせる命令がユーザから受信されたとき、画像情報と関連付けされた連絡先情報を表示するように構成された第２の表示モジュール５０５を含む。
【００６９】
第１の表示モジュール５０４は特に、
連絡先情報を問い合わせる命令がユーザから受信されたとき、連絡先情報と関連付けされた画像情報の表示規則を取得するように構成された第３の取得ユニット５０４１、および、
表示規則に従って連絡先の画像情報を表示するように構成された表示ユニット５０４２を含み、ここで表示規則は次のうちの少なくとも１つを含む。連絡先情報と関連付けされた画像情報の中で現在の時刻に最も近い撮影時刻を有する画像情報を表示すること、連絡先情報と関連付けされた画像情報の中でユーザによって指定された画像情報を表示すること、および、連絡先と関連付けされた画像情報をランダムに表示すること。
【００７０】
本発明の実施例において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって、画像と連絡先の間の自動的な関連付けが実現され、これはユーザの設定時間を節約し、ユーザ体験を向上させる。
【実施例６】
【００７１】
図６は、本発明の実施例によって提供される、情報を関連付ける端末の実施例のブロック図である。端末６００は、メモリ６０１および少なくとも１つのプロセッサ６０２を含み、ここでメモリ６０１は少なくとも１つのプロセッサ６０２に接続することができ、メモリ６０１は命令を記憶し、この命令は少なくとも１つのプロセッサ６０２によって実行することができる。
【００７２】
少なくとも１つのプロセッサ９０４は、命令を実行して前述の方法の実施例における動作を実行する、例えば、
画像情報を取得し、
画像情報から顔の特徴情報を抽出し、
画像情報における顔の特徴情報に対応する顔の特徴情報が連絡先情報の中に存在するかどうかを判定し、対応する顔の特徴情報が合致したならば、画像情報を合致した連絡先情報と関連付けるように構成される。
【００７３】
実施例において、少なくとも１つのプロセッサ６０２は、次のうちの１つまたは複数の組み合わせとすることができる。ＣＰＵ（Central Processing Unit、中央処理装置）、ＤＳＰ（Digital Signal Processor、デジタル信号プロセッサ）、ＡＳＩＣ（Application Specific Integrated Circuit、特定用途向け集積回路）。
【００７４】
本発明の実施例において、予め記憶された顔の特徴情報の中に画像情報から抽出された顔の特徴情報が存在するかどうかが判定され、顔の特徴情報が存在するならば、予め記憶された顔の特徴情報に対応する連絡先が画像情報と関連付けされ、それによって、画像と連絡先の間の自動的な関連付けが実現され、これはユーザの設定時間を節約し、ユーザ体験を向上させる。
【００７５】
本発明の前述の実施例の通し番号は説明のために使用されたに過ぎず、実施例の優先順位を表わすものではない。
【００７６】
この分野の当業者は、実施例の全部または一部のステップがハードウェアまたは関連するハードウェアに命令するプログラムによって実現できることを理解しうる。プログラムはコンピュータ読み取り可能記憶媒体に記憶することができる。記憶媒体は、読み出し専用メモリ、磁気ディスク、光ディスク等とすることができる。
【００７７】
前述の説明は本発明の例示の実施例に過ぎず、本発明を限定することを意図するものではない。本発明の思想および原理の範囲内で行われる任意の変更、均等な置換、または改良は、本発明の保護範囲内にある。
【符号の説明】
【００７８】
５０１  取得モジュール
５０１１  第１の取得ユニット
５０１２  第２の取得ユニット
５０２  抽出モジュール
５０３  関連付けモジュール
５０３１  第１の照合ユニット
５０３２  第１の関連付けユニット
５０３３  第２の照合ユニット
５０３４  第２の関連付けユニット
５０４  第１の表示モジュール
５０４１  第３の取得ユニット
５０４２  表示ユニット
５０５  第２の表示モジュール
６００  端末
６０１  メモリ
６０２  プロセッサ
【図１】
2015513162.tif 000003
【図２】
2015513162.tif 000004
【図３】
2015513162.tif 000005
【図４】
2015513162.tif 000006
【図５】
2015513162.tif 000007
【図６】
2015513162.tif 000008
【手続補正書】
【提出日】平成26年10月9日(2014.10.9)
【手続補正１】
【補正対象書類名】明細書
【補正対象項目名】０００５
【補正方法】変更
【補正の内容】
【０００５】
本発明の実現の間、先行技術は次の欠点を有する。
【手続補正２】
【補正対象書類名】明細書
【補正対象項目名】００２１
【補正方法】変更
【補正の内容】
【００２１】
具体的には、端末は、ローカルに記憶された画像情報を取得し、これはアルバム内の画像とすることができる。さらに、端末は、撮像デバイスによって入力された画像情報も取得することができ、撮像デバイスは端末内に組み込まれたカメラとすることができる。
【手続補正３】
【補正対象書類名】明細書
【補正対象項目名】００３８
【補正方法】変更
【補正の内容】
【００３８】
具体的には、端末は、ローカルに記憶された画像情報を取得し、これはアルバム内の画像とすることができる。さらに、端末は、撮像デバイスによって入力された画像情報を取得することができ、撮像デバイスは端末内に組み込まれたカメラとすることができる。
【手続補正４】
【補正対象書類名】明細書
【補正対象項目名】００７２
【補正方法】変更
【補正の内容】
【００７２】
少なくとも１つのプロセッサ６０２は、命令を実行して前述の方法の実施例における動作を実行する、例えば、
画像情報を取得し、
画像情報から顔の特徴情報を抽出し、
画像情報における顔の特徴情報に対応する顔の特徴情報が連絡先情報の中に存在するかどうかを判定し、対応する顔の特徴情報が合致したならば、画像情報を合致した連絡先情報と関連付けるように構成される。
【手続補正５】
【補正対象書類名】明細書
【補正対象項目名】００７７
【補正方法】変更
【補正の内容】
【００７７】
前述の説明は本発明の例示の実施例に過ぎず、本発明を限定することを意図するものではない。本発明の原理の範囲内で行われる任意の変更、均等な置換、または改良は、本発明の保護範囲内にある。
【手続補正６】
【補正対象書類名】特許請求の範囲
【補正対象項目名】全文
【補正方法】変更
【補正の内容】
【特許請求の範囲】
【請求項１】
情報を関連付ける方法であって、
画像情報を取得するステップと、
前記画像情報から顔の特徴情報を抽出するステップと、
前記画像情報における前記顔の特徴情報に対応する顔の特徴情報が連絡先情報の中に存在するかどうかを判定し、前記対応する顔の特徴情報が合致したならば、前記画像情報を合致した連絡先情報と関連付けるステップと、
を有する方法。
【請求項２】
前記画像情報を取得するステップは特に、
ローカルに記憶された画像情報を取得するステップ、または、
撮像デバイスによって入力された画像情報を取得するステップ、
を有する請求項１に記載の方法。
【請求項３】
前記画像情報における前記顔の特徴情報に対応する顔の特徴情報が連絡先情報の中に存在するかどうかを判定し、前記対応する顔の特徴情報が合致したならば、前記画像情報を前記合致した連絡先情報と関連付けるステップは特に、
前記抽出された顔の特徴情報を、顔の特徴情報と連絡先情報の間のローカルに記憶された対応関係における顔の特徴情報と照合するステップと、
前記抽出された顔の特徴情報が、顔の特徴情報と連絡先情報の間のローカルに記憶された対応関係における顔の特徴情報と合致したならば、前記抽出された顔の特徴情報に対応する画像情報を、合致した顔の特徴情報と連絡先情報の間のローカルに記憶された対応関係における連絡先情報と関連付けるステップと、
を有する請求項１に記載の方法。
【請求項４】
前記画像情報における特徴情報に対応する連絡先情報が存在するかどうかを判定し、前記対応する連絡先情報が存在するならば、前記画像情報を前記対応する連絡先情報と関連付けるステップは特に、
前記抽出された顔の特徴情報をサーバに送信して、前記サーバに、前記抽出された顔の特徴情報を、顔の特徴情報と連絡先情報の間の前記サーバに記憶された対応関係における顔の特徴情報と照合させるステップと、
合致に成功したならば、合致した顔の特徴情報と連絡先情報の間の対応関係における連絡先情報を前記サーバから受信し、前記抽出された顔の特徴情報に対応する画像情報を、合致した顔の特徴情報と連絡先情報の間の前記サーバに記憶された対応関係における連絡先情報と関連付けるステップと、
を有する請求項１に記載の方法。
【請求項５】
前記画像情報における特徴情報に対応する連絡先情報が存在するかどうかを判定し、前記対応する連絡先情報が存在するならば、前記画像情報を前記対応する連絡先情報と関連付けた後に、
連絡先情報を問い合わせる命令がユーザから受信されたとき、前記連絡先情報と関連付けされた画像情報を表示するステップ、または、
画像情報を問い合わせる命令がユーザから受信されたとき、前記画像情報と関連付けされた連絡先情報を表示するステップ、
をさらに有する請求項１から４のいずれか一項に記載の方法。
【請求項６】
連絡先情報を問い合わせる命令がユーザから受信されたとき、前記連絡先情報と関連付けされた画像情報を表示するステップは特に、
連絡先情報を問い合わせる命令がユーザから受信されたとき、前記連絡先情報と関連付けされた画像情報の表示規則を取得するステップと、
前記表示規則に従って連絡先の画像情報を表示するステップと、を有し、前記表示規則は、前記連絡先情報と関連付けされた画像情報の中で現在の時刻に最も近い撮影時刻を有する画像情報を表示すること、前記連絡先情報と関連付けされた画像情報の中でユーザによって指定された画像情報を表示すること、前記連絡先と関連付けされた画像情報をランダムに表示すること、のうちの少なくとも１つを含む請求項５に記載の方法。
【請求項７】
情報を関連付ける端末であって、
画像情報を取得するように構成された取得モジュールと、
前記画像情報から顔の特徴情報を抽出するように構成された抽出モジュールと、
前記画像情報における前記顔の特徴情報に対応する顔の特徴情報が連絡先情報の中に存在するかどうかを判定し、前記対応する顔の特徴情報が合致したならば、前記画像情報を合致した連絡先情報と関連付けるように構成された関連付けモジュールと、
を備える端末。
【請求項８】
前記取得モジュールは特に、
ローカルに記憶された画像情報を取得するように構成された第１の取得ユニット、または、
撮像デバイスによって入力された画像情報を取得するように構成された第２の取得ユニット、
を備える請求項７に記載の端末。
【請求項９】
前記関連付けモジュールは特に、
前記抽出された顔の特徴情報を、顔の特徴情報と連絡先情報の間の前記端末に記憶された対応関係における顔の特徴情報と照合するように構成された第１の照合ユニットと、
合致に成功したならば、前記抽出された顔の特徴情報に対応する画像情報を、合致した顔の特徴情報と連絡先情報の間の前記端末に記憶された対応関係における連絡先情報と関連付けるように構成された第１の関連付けユニットと、
を備える請求項７に記載の端末。
【請求項１０】
前記関連付けモジュールは特に、
前記抽出された顔の特徴情報をサーバに送信して、前記サーバに、前記抽出された顔の特徴情報を、顔の特徴情報と連絡先情報の間の前記サーバに記憶された対応関係における顔の特徴情報と照合させるように構成された第２の照合ユニットと、
合致に成功したならば、合致した顔の特徴情報と連絡先情報の間の対応関係における連絡先情報を前記サーバから受信し、前記抽出された顔の特徴情報に対応する画像情報を、合致した顔の特徴情報と連絡先情報の間の前記サーバに記憶された対応関係における連絡先情報と関連付けるように構成された第２の関連付けユニットと、
を備える請求項７に記載の端末。
【請求項１１】
連絡先情報を問い合わせる命令がユーザから受信されたとき、前記連絡先情報と関連付けされた画像情報を表示するように構成された第１の表示モジュール、または、
画像情報を問い合わせる命令がユーザから受信されたとき、前記画像情報と関連付けされた連絡先情報を表示するように構成された第２の表示モジュール、
をさらに備える請求項７から１０のいずれか一項に記載の端末。
【請求項１２】
前記第１の取得モジュールは特に、
連絡先情報を問い合わせる命令がユーザから受信されたとき、前記連絡先情報と関連付けされた画像情報の表示規則を取得するように構成された第３の取得ユニットと、
前記表示規則に従って連絡先の画像情報を表示するように構成された表示ユニットと、を備え、前記表示規則は、前記連絡先情報と関連付けされた画像情報の中で現在の時刻に最も近い撮影時刻を有する画像情報を表示すること、前記連絡先情報と関連付けされた画像情報の中でユーザによって指定された画像情報を表示すること、前記連絡先と関連付けされた画像情報をランダムに表示すること、のうちの少なくとも１つを含む請求項１１に記載の端末。
【手続補正書】
【提出日】平成26年10月10日(2014.10.10)
【手続補正１】
【補正対象書類名】明細書
【補正対象項目名】００６４
【補正方法】変更
【補正の内容】
【００６４】
図５を参照すると、本発明の実施例は情報を関連付ける端末を提供し、この端末は、
画像情報を取得するように構成された取得モジュール５０１、
画像情報から顔の特徴情報を抽出するように構成された抽出モジュール５０２、および、
画像情報における顔の特徴情報に対応する顔の特徴情報が連絡先情報の中に存在するかどうかを判定し、対応する顔の特徴情報が合致したならば、画像情報を合致した連絡先情報と関連付けるように構成された関連付けモジュール５０３を含む。
【手続補正２】
【補正対象書類名】特許請求の範囲
【補正対象項目名】全文
【補正方法】変更
【補正の内容】
【特許請求の範囲】
【請求項１】
情報を関連付ける方法であって、
画像情報を取得するステップと、
前記画像情報から顔の特徴情報を抽出するステップと、
前記画像情報における前記顔の特徴情報に対応する顔の特徴情報が連絡先情報の中に存在するかどうかを判定し、前記対応する顔の特徴情報が合致したならば、前記画像情報を合致した連絡先情報と関連付けるステップと、
を有する方法。
【請求項２】
前記画像情報を取得するステップは、
ローカルに記憶された画像情報を取得するステップ、または、
撮像デバイスによって入力された画像情報を取得するステップ、
を有する請求項１に記載の方法。
【請求項３】
前記画像情報における前記顔の特徴情報に対応する顔の特徴情報が連絡先情報の中に存在するかどうかを判定し、前記対応する顔の特徴情報が合致したならば、前記画像情報を前記合致した連絡先情報と関連付けるステップは、
前記抽出された顔の特徴情報を、顔の特徴情報と連絡先情報の間のローカルに記憶された対応関係における顔の特徴情報と照合するステップと、
前記抽出された顔の特徴情報が、顔の特徴情報と連絡先情報の間のローカルに記憶された対応関係における顔の特徴情報と合致したならば、前記抽出された顔の特徴情報に対応する画像情報を、合致した顔の特徴情報と連絡先情報の間のローカルに記憶された対応関係における連絡先情報と関連付けるステップと、
を有する請求項１に記載の方法。
【請求項４】
前記画像情報における特徴情報に対応する連絡先情報が存在するかどうかを判定し、前記対応する連絡先情報が存在するならば、前記画像情報を前記対応する連絡先情報と関連付けるステップは、
前記抽出された顔の特徴情報をサーバに送信して、前記サーバに、前記抽出された顔の特徴情報を、顔の特徴情報と連絡先情報の間の前記サーバに記憶された対応関係における顔の特徴情報と照合させるステップと、
合致に成功したならば、合致した顔の特徴情報と連絡先情報の間の対応関係における連絡先情報を前記サーバから受信し、前記抽出された顔の特徴情報に対応する画像情報を、合致した顔の特徴情報と連絡先情報の間の前記サーバに記憶された対応関係における連絡先情報と関連付けるステップと、
を有する請求項１に記載の方法。
【請求項５】
前記画像情報における特徴情報に対応する連絡先情報が存在するかどうかを判定し、前記対応する連絡先情報が存在するならば、前記画像情報を前記対応する連絡先情報と関連付けた後に、
連絡先情報を問い合わせる命令がユーザから受信されたとき、前記連絡先情報と関連付けされた画像情報を表示するステップ、または、
画像情報を問い合わせる命令がユーザから受信されたとき、前記画像情報と関連付けされた連絡先情報を表示するステップ、
をさらに有する請求項１から４のいずれか一項に記載の方法。
【請求項６】
連絡先情報を問い合わせる命令がユーザから受信されたとき、前記連絡先情報と関連付けされた画像情報を表示するステップは、
連絡先情報を問い合わせる命令がユーザから受信されたとき、前記連絡先情報と関連付けされた画像情報の表示規則を取得するステップと、
前記表示規則に従って連絡先の画像情報を表示するステップと、を有し、前記表示規則は、前記連絡先情報と関連付けされた画像情報の中で現在の時刻に最も近い撮影時刻を有する画像情報を表示すること、前記連絡先情報と関連付けされた画像情報の中でユーザによって指定された画像情報を表示すること、前記連絡先と関連付けされた画像情報をランダムに表示すること、のうちの少なくとも１つを含む請求項５に記載の方法。
【請求項７】
情報を関連付ける端末であって、
画像情報を取得するように構成された取得モジュールと、
前記画像情報から顔の特徴情報を抽出するように構成された抽出モジュールと、
前記画像情報における前記顔の特徴情報に対応する顔の特徴情報が連絡先情報の中に存在するかどうかを判定し、前記対応する顔の特徴情報が合致したならば、前記画像情報を合致した連絡先情報と関連付けるように構成された関連付けモジュールと、
を備える端末。
【請求項８】
前記取得モジュールは、
ローカルに記憶された画像情報を取得するように構成された第１の取得ユニット、または、
撮像デバイスによって入力された画像情報を取得するように構成された第２の取得ユニット、
を備える請求項７に記載の端末。
【請求項９】
前記関連付けモジュールは、
前記抽出された顔の特徴情報を、顔の特徴情報と連絡先情報の間の前記端末に記憶された対応関係における顔の特徴情報と照合するように構成された第１の照合ユニットと、
合致に成功したならば、前記抽出された顔の特徴情報に対応する画像情報を、合致した顔の特徴情報と連絡先情報の間の前記端末に記憶された対応関係における連絡先情報と関連付けるように構成された第１の関連付けユニットと、
を備える請求項７に記載の端末。
【請求項１０】
前記関連付けモジュールは、
前記抽出された顔の特徴情報をサーバに送信して、前記サーバに、前記抽出された顔の特徴情報を、顔の特徴情報と連絡先情報の間の前記サーバに記憶された対応関係における顔の特徴情報と照合させるように構成された第２の照合ユニットと、
合致に成功したならば、合致した顔の特徴情報と連絡先情報の間の対応関係における連絡先情報を前記サーバから受信し、前記抽出された顔の特徴情報に対応する画像情報を、合致した顔の特徴情報と連絡先情報の間の前記サーバに記憶された対応関係における連絡先情報と関連付けるように構成された第２の関連付けユニットと、
を備える請求項７に記載の端末。
【請求項１１】
連絡先情報を問い合わせる命令がユーザから受信されたとき、前記連絡先情報と関連付けされた画像情報を表示するように構成された第１の表示モジュール、または、
画像情報を問い合わせる命令がユーザから受信されたとき、前記画像情報と関連付けされた連絡先情報を表示するように構成された第２の表示モジュール、
をさらに備える請求項７から１０のいずれか一項に記載の端末。
【請求項１２】
前記第１の表示モジュールは、
連絡先情報を問い合わせる命令がユーザから受信されたとき、前記連絡先情報と関連付けされた画像情報の表示規則を取得するように構成された第３の取得ユニットと、
前記表示規則に従って連絡先の画像情報を表示するように構成された表示ユニットと、を備え、前記表示規則は、前記連絡先情報と関連付けされた画像情報の中で現在の時刻に最も近い撮影時刻を有する画像情報を表示すること、前記連絡先情報と関連付けされた画像情報の中でユーザによって指定された画像情報を表示すること、前記連絡先と関連付けされた画像情報をランダムに表示すること、のうちの少なくとも１つを含む請求項１１に記載の端末。
【手続補正３】
【補正対象書類名】図面
【補正対象項目名】図５
【補正方法】変更
【補正の内容】
【図５】
2015513162.tif 000009
【手続補正４】
【補正対象書類名】図面
【補正対象項目名】図６
【補正方法】変更
【補正の内容】
【図６】
2015513162.tif 000010
【国際調査報告】
2015513162.tif 000011
2015513162.tif 000012
2015513162.tif 000013
2015513162.tif 000014